(57)【要約】【課題】収合ステップは繁雑でなく、使用者の便利性と実用性を具えた手摺構造を提供すること。【解決手段】折畳式レジャー椅子５の各手摺中間の任意の位置に、１箇所或は１箇所以上の中断を加え、関節結合構造１で、２節或は２節以上の手摺５１，５２を構成し、手摺の引延しと折合を行い、レジャー椅子５の展開と収納を行うことを特徴とする。【選択図】　図３
0003097898.tif 000002
【実用新案登録請求の範囲】
【請求項１】
各手摺中間の任意の位置に、１箇所或は１箇所以上の中断を加え、関節結合構造で、２節或は２節以上の手摺を構成し、手摺の引延しと折合を行い、レジャー椅子の展開と収納を行うことを特徴とする一種の折畳式レジャー椅子の手摺構造。
【請求項２】
以下の構成からなることを特徴とする請求項１記載の折畳式レジャー椅子の手摺構造。
関節構造の主要はメス継手とオス継手で組成する。その中で：
メス継手の主体前端の適当な箇所に１個のピボット接合槽を凹状に設け、その別の一端に外向きに１個の接合用突部を凸状に設ける。また、メス継手のピボット接合槽下方の開口箇所周辺に２個の対応する翼片を下向きに伸ばし、且つ同翼片の底端表面の適当な箇所に相互に対応する穿孔を設ける；
オス継手はメス継手のピボット接合槽に対応する２個の対応翼片の外形構造で、本体の一端に１個の相互に対応する嵌合翼を伸ばし、別の一端に外向きに１個の接合用突部を凸状に設け、且つ嵌合ブロックの底端表面の適当な箇所に１個の穿孔を設ける；
位置決めピンは順番にメス継手及びオス継手の穿孔を貫き、パッキングにより固定する。手摺ロッドはメス継手とオス継手の接合用突部に直接固定設置する。
【考案の詳細な説明】
【０００１】
【考案の属する技術分野】
本考案は一種の折畳式レジャー椅子の手摺構造に関する。特に一種の連続式収合の手摺構造を具え、伝統（従来技術）型折畳式レジャー椅子の収合ステップを効果的に簡単化し、折畳式レジャー椅子の全体的実用性を高め、使用者の外出時携帯を一層便利にする折畳式レジャー椅子の手摺構造に関する。
【０００２】
【従来の技術】
現在の日常生活の周囲環境では、座椅子は不可欠の応用家具の一つで、その主たる機能は人々に座席を提供して、身体の疲労を除去するものである。又、現在は戸外レジャー活動が重要視されており、関係業者は更に便利な機能を提供する為、一種の折畳式レジャー椅子を開発して、使用者が戸外集会等のレジャー活動時に従事する時、レジャー椅子を迅速に折畳収合できるようにして、携帯の便を図っている。
【０００３】
伝統（従来技術）型折畳式レジャー椅子の手摺構造（６）は図６に示すように、その主要なものは、手摺ロッド（６１）前端に１個の移動ケース（６２）を設置し、直接前脚ロッド（６３）の頂端に組合せる。この設計により、折畳式レジャー椅子を収納する時は、図７に示す如く、使用者は先ず手摺ロッド（６１）を引起し、手摺ロッド（６１）前端の移動ケース（６２）を直接前脚ロッド（６３）から脱離した後、ピボット接合フレーム　（６４）等関連構造と組合せて収合の目的を達成する（その完全な収合ステップは良く知られた技術手段であり、ここでは述べない）。
【０００４】
【考案が解決しようとする課題】
然るに、この構造設計は、効果的にレジャー椅子を折畳み収納する機能を提供するが、レジャー椅子を収合する時は、その主要なステップは必ず先ず手摺ロッド（６１）前端の移動ケース（６２）を前脚ロッド（６３）から脱離してから、次のステップに進むことができるので、収合ステップは疑いもなく繁雑で、使用者の不便を大幅に増加する以外に、長時間使用すると、その移動ケース（６２）と前脚ロッド（６３）間の相互嵌合が次第に緩み、甚だしきときは破損をきたす。この為、上述の伝統（従来技術）型折畳式レジャー椅子の手摺構造は、更なる改良を行い、使用者に更なる実用的及び便利的機能を提供することが待たれている。
【０００５】
このことに鑑み、本考案者は改良を考え、実務経験と不断の研究改良進歩を結合して、終に一種の『折畳式レジャー椅子の手摺構造』を考案し、更に便利性と実用性を具えた手摺構造を提供した。本考案の設計により以下の考案目的を達成できる。
【０００６】
本考案設計の目的は、一種の折畳式レジャー椅子の手摺構造の提供である。その中で、レジャー椅子各手摺の中間の任意の位置に、１箇所或は１箇所以上の中断を加え、関節結合構造で接合或は組合接合を施すことにより、２節或は２節以上の手摺を構成する。一方関節構造の主用部分はメス継手とオス継手の組合せで構成し、相互に嵌合対応して、位置決ピン及びパッキング等の関連部品により固定し、位置決ピンを支持軸とし、折畳機能を達成する。上述の構造設計により、伝統（従来技術）型手摺構造の収合時必ず先ず手摺ロッド前端の移動ケースを前脚ロッドから脱離した後収合を行う欠点を効果的に改良し、伝統（従来技術）型レジャー椅子の収合ステップを大幅に効果的に簡単化し、折畳式レジャー椅子の全体構造を強化する目的を兼備する。
【０００７】
【課題を解決するための手段】
本考案は一種の折畳式レジャー椅子の手摺構造に関するものである。その中で、レジャー椅子の各手摺中間の任意の位置に、１箇所或は１箇所以上の中断を加え、関節結合構造で接合或はユニオン接合を施すことにより、２節或は２節以上の手摺を構成する。一方関節構造の主用部分はメス継手とオス継手の組合せで構成し、相互に嵌合対応して、位置決ピン及びパッキング等の関連部品により固定し、位置決ピンを支持軸とし、折畳機能を達成する。この設計により、手摺の引延しと折合を行い、レジャー椅子の展開と収納を行う者で、伝統（従来技術）型折畳式レジャー椅子の収合ステップを効果的に簡単化し、折畳式レジャー椅子の全体構造を強化する。全体として言えば、極めて優れた便利性と実用性を具える。
【０００８】
【考案の実施の形態】
本考案の構造の特徴及び特長を明確に説明する為に、添付図を利用して以下に詳細説明する：
先ず、図１の本考案に係る関節構造（１）の立体分解図を参照して説明する。その主要なものは次の通りである。その主要なものはメス継手（１０）及びオス継手（２０）で構成する。その中で、メス継手（１０）の主体（１１）前端の適当な箇所に１個のピボット接合槽（１１１）を凹状に設け、その別の一端に外向きに接合用突部（１１２）を凸状に設ける。また、メス継手（１０）のピボット接合槽（１１１）下方の開口箇所周辺に２個の対応する翼片（１２）を下向きに伸ばし、且つ同翼片（１２）の底端表面の適当な箇所に相互に対応する穿孔（１２１）を設ける；オス継手（２０）の構造設計の主要なものは、メス継手（１０）のピボット接合槽（１１１）及び２個の翼片（１２）に相対応する外形構造で、本体（２１）の一端に１個の相互に対応する嵌合翼（２２）を伸ばし、別の一端に外向きに接合用突部（２１１）を凸状に設け、且つ嵌合ブロック（２２）の底端表面の適当な箇所に１個の穿孔（２２１）を設ける。
【０００９】
一方関節構造（１）の実際の組立では、先ずオス継手（２０）の嵌合部（２２）をメス継手（１０）のピボット接合槽（１１１）内に挿し込み、メス継手（１０）とオス継手（２０）の翼片（１２）・嵌合翼（２２）及び穿孔（１２１）・（２２１）を相互に嵌合及び対応させる。この時、位置決めピン（３０）は順番に穿孔（１２１）・（２２１）を貫き、パッキング（４０）により固定し、位置決ピン（３０）を支持軸とし、折畳機能を達成する。最後に手摺ロッド（５１）・（５２）をメス継手（１０）とオス継手（２０）の接合用突部（１１２）・（２１１）上に直接固定設置して、図２に示す関節構造（１）を組成する。
【００１０】
更に図３を参照して説明する。本図は本考案の関節構造（１）を折畳式レジャー椅子（５）に応用する時の立体外観図を示す図である。その中で、本考案の関節構造（１）は折畳式レジャー椅子（５）の手摺中間の任意の位置で接合或はユニオン接合でき、１箇所或は１箇所以上の中断を加え、２節或は２節以上の手摺（５１）・（５２）を構成して、手摺の引延しと折合を行い、レジャー椅子の展開と収納をもたらす；且つ同折畳式レジャー椅子（５）の前脚ロッド（５３）の頂上端には１個のピボット接合ベース（５４）を直接固定設置でき、その中に手摺ロッド（５２）ピボットを設置するのに供する。この設計により、使用者が折畳式レジャー椅子（５）を収合する時は、図４及び図５に示す如く、使用者は先ず直接手摺ロッド（５１）・（５２）を折畳み、次にピボット接合フレーム（５５）等のその他関連構造を伸縮収合して、収合の目的を達成する。
【００１１】
本考案設計の特長は、本考案の関節構造（１）を折畳式レジャー椅子（５）に応用した時、収合する場合は、使用者は直接手摺ロッド（５１）・（５２）を折畳み、ピボット接合フレーム（５５）等のその他関連構造の伸縮を行えば、目的を達成でき、その収合ステップは相当簡単敏捷で、伝統（従来技術）型手摺構造（６）の収合時必ず先ず手摺ロッド（６１）前端の移動ケース（６２）を前脚ロッド（６３）から脱離した後収合を行う欠点を効果的に改良しており、且つ本考案が最初に考案した連続式収合ステップは、伝統（従来技術）型折畳式レジャー椅子の収合ステップを効果的に簡単化し、疑いもなく使用者に相当な便利を提供する；また本考案の関節構造（１）　を応用した折畳式レジャー椅子（５）では、本体の前脚ロッド（５３）と手摺ロッド（５２）を、前脚ロッド（５３）頂上端に固定設置したピボット接合ベース（５４）により、ピボット接合し、両者の間を直接固定連結して、連帯して折畳式レジャー椅子の全体構造を効果的に強化する。それ故長時間使用した時でも、前脚ロッド（６３）と手摺ロッド（５２）間のピボット接合は容易に緩み破損しない。このことから、本考案の関節構造（１）は実用性の機能を兼備している。
【００１２】
又、上述の説明は、本考案のより優れた実施の具体的実例であり、使用者の必要により、１個或は１個以上の関節構造（１）を手摺ロッド上中間の任意の位置に加え、更に多段式の折り曲げの効果を達成する。関節構造（１）と手摺ロッドの間の距離は任意に調整できるが、折畳式レジャー椅子収合後の各部品の関係位置により調整することが必要である。この設計理念に従い構成する同じ効果の装置は、すべて本考案設計の精神領域中に包含される。
【００１３】
上述の綜合として、本考案の「折畳式レジャー椅子の手摺構造」は、従来型折畳式レジャー椅子の収合ステップを効果的に簡便化し、同時に折畳式レジャー椅子の全体構造を強化することができる。従って、本考案の設計は、極めて優れた実用性と進歩性を具え、新型特許申請要件に符合するので、ここに申請を提出する。
【００１４】
【考案の効果】
本考案によれば、極めて優れた便利性と実用性を具えるという効果を奏する。
【図面の簡単な説明】
【図１】本考案の関節構造の立体分解図である。
【図２】本考案の関節構造組立後の立体外観図である。
【図３】本考案を折畳式レジャー椅子に応用した時の立体外観図である。
【図４】本考案の収合行う時の実施例図（一）である。
【図５】本考案の収合行う時の実施例図（二）である。
【図６】伝統（従来技術）折畳式レジャー椅子の立体外観図である。
【図７】伝統（従来技術）折畳式レジャー椅子の実施例図である。
【符号の説明】
（１）　　　関節構造
（１０）　　　　メス継手
（１１）　　　本体
（１１１）　　　ピボット接合槽
（１１２）　　接合用突部
（１２）　　　　翼片
（１２１）　　穿孔
（２０）　　　　オス継手
（２１）　　　本体
（２１１）　　　接合用突部
（２２）　　　嵌合翼
（２２１）　　　穿孔
（３０）　　　位置決めピン
（４０）　　　　パッキング
（５）　　　折畳式レジャー椅子
（５１）　　　　手摺ロッド
（５２）　　　手摺ロッド　　　　　　　　　　　　　　　　　　　　　　　　　　　　　　（５３）　　　　前脚ロッド
（５４）　　　ピボット接合ベース
（５５）　　　　ピボット接合フレーム
（６）　　　手摺構造
（６１）　　手摺ロッド
（６２）　　　移動ケース　　　　　　　　　　　　　　　　　　　　　　　　　　　　　　（６３）　　　　前脚ロッド
（６４）　　　ピボット接合フレーム
【図１】
0003097898.tif 000003
【図２】
0003097898.tif 000004
【図３】
0003097898.tif 000005
【図４】
0003097898.tif 000006
【図５】
0003097898.tif 000007
【図６】
0003097898.tif 000008
【図７】
0003097898.tif 000009